(57)【要約】【課題】  画像データが供給されたときに、ページモードまたはバンドモードでただちにその画像データに対するデータ処理を開始することができる画像処理装置を得る。【解決手段】  画像処理装置は、両面スキャンを行うスキャナと、画像データに対してデータ処理を行う画像処理回路１６と、メインコントローラ２とを備える。データ取得回路１５は、スキャナ５から、両面スキャンに伴う表面の画像データおよび裏面の画像データを取得する。メインコントローラ２は、表面の画像データおよび裏面の画像データの一方をバンドモードで画像処理回路１６にデータ処理を行わせ、表面の画像データおよび裏面の画像データの他方をページモードで画像処理回路１６にデータ処理を行わせる。【選択図】  図２
2010226518.tif 000002
【特許請求の範囲】
【請求項１】
ページモードで画像データをページ単位で格納しデータ処理し、バンドモードで１ページの画像データから分割され得られた複数のバンドデータをバンドデータごとに格納しデータ処理を行う画像処理装置において、
両面スキャンを行うスキャナと、
前記スキャナから、両面スキャンに伴う表面の画像データおよび裏面の画像データを取得するデータ取得回路と、
前記画像データに対してデータ処理を行う処理回路と、
前記表面の画像データおよび裏面の画像データの一方をバンドモードで前記処理回路にデータ処理を行わせ、前記表面の画像データおよび裏面の画像データの他方をページモードで前記処理回路にデータ処理を行わせる制御回路と、
を備えることを特徴とする画像処理装置。
【請求項２】
１ページ分の画像データを格納可能なデータ格納装置と、１ページの画像データを分割して得られるバンドデータを格納可能なメモリとを備え、
前記画像データは、バンドモードでは、バンドデータとして前記メモリに格納され、ページモードでは、前記データ格納装置に格納され、
前記処理回路は、まず、バンドモードで、前記バンドデータを前記メモリから読み出しデータ処理を行い、次に、ページモードで、前記データ格納装置から読み出された前記画像データに対してデータ処理を行うこと、
を特徴とする請求項１記載の画像処理装置。
【請求項３】
データ圧縮回路と、データ伸張回路とを備え、
前記データ圧縮回路は、ページモードでは、前記メモリからバンドデータを読み出し、そのバンドデータを圧縮し、圧縮後のバンドデータを前記データ格納装置に格納し、
前記データ伸張回路は、ページモードでは、１ページ分のバンドデータが前記データ格納装置に格納された後、圧縮されたバンドデータを前記データ格納装置から読み出し、その圧縮されたバンドデータを伸張し、バンドデータを前記メモリに格納すること、
を特徴とする請求項２記載の画像処理装置。
【請求項４】
前記データ伸張回路は、ページモードでは、１ページ分のバンドデータが前記データ格納装置に格納された後、前記処理回路のデータ処理で必要な圧縮されたバンドデータを前記データ格納装置から読み出し、その圧縮されたバンドデータを伸張し、バンドデータを前記メモリに格納し、
前記処理回路は、前記データ伸張回路により伸張され得られたバンドデータを使用してデータ処理を行うこと、
を特徴とする請求項３記載の画像処理装置。
【請求項５】
前記データ取得回路および前記処理回路のデータ入出力を制御するデータフローコントローラを備え、
前記メモリは、第１バンドメモリと、第２バンドメモリとを含み、
前記データ取得回路は、前記第１バンドメモリおよび前記第２バンドメモリへのデータ書き込みのためのダイレクトメモリアクセスを行う出力ＤＭＡコントローラを有し、
前記処理回路は、前記第１バンドメモリおよび前記第２バンドメモリからのデータ読み出しのためのダイレクトメモリアクセスを行う入力ＤＭＡコントローラを有し、
前記データフローコントローラは、前記データ取得回路の前記出力ＤＭＡコントローラによりバンドデータを前記第１バンドメモリおよび前記第２バンドメモリの一方へ交互に書き込ませ、バンドモードでは、それと並行して、前記処理回路の前記入力ＤＭＡコントローラにより前記バンドデータの１つ前のバンドデータを前記第１バンドメモリおよび前記第２バンドメモリの他方から読み出させること、
を特徴とする請求項２記載の画像処理装置。
【請求項６】
前記データフローコントローラは、バンドモードでは、前記データ取得回路による前記第１バンドメモリへのバンドデータの書き込みが完了したら、前記処理回路による前記第１バンドメモリからの前記バンドデータの読み出しを開始させるとともに、前記データ取得回路による前記第２バンドメモリへの次のバンドデータの書き込みを開始させ、また、前記データ取得回路による前記第２バンドメモリへのバンドデータの書き込みが完了したら、前記処理回路による前記第２バンドメモリからの前記バンドデータの読み出しを開始させるとともに、前記データ取得回路による前記第１バンドメモリへの次のバンドデータの書き込みを開始させることを特徴とする請求項５記載の画像処理装置。
【発明の詳細な説明】
【技術分野】
【０００１】
本発明は、画像処理装置に関するものである。
【背景技術】
【０００２】
プリンタなどの画像処理装置では、印刷対象の画像データに対して各種画像処理が行われたり、必要に応じて、データ圧縮およびデータ伸張が行われる。その際、画像データをページ単位で格納しデータ処理するモード（以下、ページモードという）、および１ページの画像データを複数バンドの画像データ（以下、バンドデータという）に分割し、バンドデータごとに格納しデータ処理を行うモード（以下、バンドモードという）のいずれかが使用される。
【０００３】
ある画像処理装置では、ページメモリのサイズと、画像データから得られるビットマップデータのサイズとに基づいて、ページモードとバンドモードのうちの一方が選択される（例えば特許文献１）。
【先行技術文献】
【特許文献】
【０００４】
【特許文献１】特開平１０−２６０８０４号公報
【発明の概要】
【発明が解決しようとする課題】
【０００５】
しかしながら、上記画像処理装置では、ページモードとバンドモードのうちの一方を選択する際に、画像データからビットマップデータのサイズを計算する必要があり、画像処理装置に画像データが供給されたときにただちにその画像データに対する画像処理を開始することが困難である。
【０００６】
本発明は、上記の問題に鑑みてなされたもので、画像データが供給されたときに、ページモードまたはバンドモードでただちにその画像データに対するデータ処理を開始することができる画像処理装置を得ることを目的とする。
【課題を解決するための手段】
【０００７】
上記の課題を解決するために、本発明では以下のようにした。
【０００８】
本発明に係る画像処理装置は、ページモードで画像データをページ単位で格納しデータ処理し、バンドモードで１ページの画像データから分割され得られた複数のバンドデータをバンドデータごとに格納しデータ処理を行う。そして、この画像処理装置は、両面スキャンを行うスキャナと、スキャナから、両面スキャンに伴う表面の画像データおよび裏面の画像データを取得するデータ取得回路と、画像データに対してデータ処理を行う処理回路と、表面の画像データおよび裏面の画像データの一方をバンドモードで処理回路にデータ処理を行わせ、表面の画像データおよび裏面の画像データの他方をページモードで処理回路にデータ処理を行わせる制御回路とを備える。
【０００９】
これにより、データ取得回路で当該画像処理装置へ画像データが取得されてから、ページモードまたはバンドモードでただちにその画像データに対する画像処理を開始することができる。すなわち、バンドモードでは、１バンド分の画像データが取得されてから、ただちに画像処理の開始が可能になり、ページモードでは、１ページ分の画像データが取得されてから、ただちに画像処理の開始が可能になる。
【００１０】
特に、両面スキャンで得られた２ページ分の画像データをただちに順番に処理することができる。
【００１１】
また、本発明に係る画像処理装置は、上記の画像処理装置に加え、次のようにしてもよい。この場合、画像処理装置は、１ページ分の画像データを格納可能なデータ格納装置と、１ページの画像データを分割して得られるバンドデータを格納可能なメモリとを備える。また、画像データは、バンドモードでは、バンドデータとしてメモリに格納され、ページモードでは、データ格納装置に格納される。そして、処理回路は、まず、バンドモードで、バンドデータをメモリから読み出しデータ処理を行い、次に、ページモードで、データ格納装置から読み出された画像データに対してデータ処理を行う。
【００１２】
また、本発明に係る画像処理装置は、上記の画像処理装置のいずれかに加え、次のようにしてもよい。この場合、画像処理装置は、データ圧縮回路と、データ伸張回路とを備える。そして、データ圧縮回路は、ページモードでは、メモリからバンドデータを読み出し、そのバンドデータを圧縮し、圧縮後のバンドデータをデータ格納装置に格納し、データ伸張回路は、ページモードでは、１ページ分のバンドデータがデータ格納装置に格納された後、圧縮されたバンドデータをデータ格納装置から読み出し、その圧縮されたバンドデータを伸張し、バンドデータをメモリに格納する。
【００１３】
これにより、データサイズが小さくなるため、データ格納装置の容量が小さくて済む。また、処理回路およびデータ取得回路とは独立して設けられ動作するデータ圧縮回路およびデータ伸張回路でデータの圧縮および伸張を行うため、処理回路およびデータ取得回路に遅延を生じさせずに、データ格納装置へ格納するデータのサイズを小さくすることができる。
【００１４】
また、本発明に係る画像処理装置は、上記の画像処理装置のいずれかに加え、次のようにしてもよい。この場合、データ伸張回路は、ページモードでは、１ページ分のバンドデータがデータ格納装置に格納された後、処理回路のデータ処理で必要な圧縮されたバンドデータをデータ格納装置から読み出し、その圧縮されたバンドデータを伸張し、バンドデータをメモリに格納する。そして、処理回路は、データ伸張回路により伸張され得られたバンドデータを使用してデータ処理を行う。
【００１５】
また、本発明に係る画像処理装置は、上記の画像処理装置のいずれかに加え、次のようにしてもよい。この場合、画像処理装置は、データ取得回路および処理回路のデータ入出力を制御するデータフローコントローラを備える。メモリは、第１バンドメモリと、第２バンドメモリとを含む。データ取得回路は、第１バンドメモリおよび第２バンドメモリへのデータ書き込みのためのダイレクトメモリアクセスを行う出力ＤＭＡ（Direct Memory Access）コントローラを有し、処理回路は、第１バンドメモリおよび第２バンドメモリからのデータ読み出しのためのダイレクトメモリアクセスを行う入力ＤＭＡコントローラを有する。そして、データフローコントローラは、データ取得回路の出力ＤＭＡコントローラによりバンドデータを第１バンドメモリおよび第２バンドメモリの一方へ交互に書き込ませ、バンドモードでは、それと並行して、処理回路の入力ＤＭＡコントローラによりバンドデータの１つ前のバンドデータを第１バンドメモリおよび第２バンドメモリの他方から読み出させる。
【００１６】
これにより、バンドモードにおいて、データ取得回路によりメモリへのバンドデータの書き込み後、ただちに処理回路がそのバンドデータの処理を開始することができる。
【００１７】
また、本発明に係る画像処理装置は、上記の画像処理装置のいずれかに加え、次のようにしてもよい。この場合、データフローコントローラは、バンドモードでは、データ取得回路による第１バンドメモリへのバンドデータの書き込みが完了したら、処理回路による第１バンドメモリからのバンドデータの読み出しを開始させるとともに、データ取得回路による第２バンドメモリへの次のバンドデータの書き込みを開始させ、また、データ取得回路による第２バンドメモリへのバンドデータの書き込みが完了したら、処理回路による第２バンドメモリからのバンドデータの読み出しを開始させるとともに、データ取得回路による第１バンドメモリへの次のバンドデータの書き込みを開始させる。
【００１８】
これにより、バンドモードにおいて、処理回路により遅延なく複数のバンドデータを順次パイプライン処理することができる。
【発明の効果】
【００１９】
本発明によれば、画像データが供給されてから、ページモードまたはバンドモードでただちにその画像データに対する画像処理を開始することができる画像処理装置を得ることができる。特に、両面スキャンで得られた２ページ分の画像データをただちに順番に処理することができる。
【図面の簡単な説明】
【００２０】
【図１】図１は、本発明の実施の形態に係る画像処理装置の構成を示すブロック図である。
【図２】図２は、図１におけるデータ処理装置の構成を示すブロック図である。
【図３】図３は、図１におけるモード指定テーブルの一例を示す図である。
【図４】図４は、図１に示す画像処理装置における、バンドモードでのデータフローを示す図である。
【図５】図５は、図１に示す画像処理装置における、バンドモードでの複数の処理回路の処理を示すタイミングチャートである。
【図６】図６は、図１に示す画像処理装置における、ページモードでのデータフローを示す図である。
【図７】図７は、図１に示す画像処理装置における、両面スキャンを伴う作業種別の処理におけるデータフローを示す図である。
【発明を実施するための形態】
【００２１】
以下、図に基づいて本発明の実施の形態を説明する。
【００２２】
図１は、本発明の実施の形態に係る画像処理装置の構成を示すブロック図である。図２は、図１におけるデータ処理装置１の構成を示すブロック図である。
【００２３】
図１に示す画像処理装置は、データ処理装置１、メインコントローラ２、ＲＡＭ（Random Access Memory）３、ハードディスクドライブ（ＨＤＤ）４、スキャナ５、印刷エンジン制御回路６、記憶装置７、ファクシミリ通信装置８、ネットワークインタフェース９、操作パネル１０、用紙に印刷を行う印刷エンジン（図示せず）などを備える。
【００２４】
データ処理装置１は、スキャナ５などからの画像データを、バンド単位またはページ単位で処理し、メインコントローラ２、ＨＤＤ４、印刷エンジン制御回路６などへ出力する装置である。なお、スキャナ５からは、画像データとその画像データに対応する属性データが出力されるため、データ処理装置１は、両方に対して所定の処理を行う。属性データは、画像処理において色処理、階調処理などの設定に使用される。属性データは、例えば文字か否かといった画素ごとの情報を含む。また、画像データおよび属性データは、１ページ単位のページデータ、または１ページを分割した複数のバンドの１つに対応するバンドデータとして取り扱われる。例えば、画像データは、ＣＭＹＫの４プレーンを有し、属性データは、ＡプレーンおよびＳプレーンを有する。ＣＭＹＫの各プレーンは、高さ８ビットのプレーンである。また、Ａプレーンは、高さ４ビットのプレーンであり、Ｓプレーンは、高さ８ビットのプレーンである。
【００２５】
メインコントローラ２は、操作パネル１０に対するユーザ操作に基づいて、スキャナ５、ファクシミリ装置８およびネットワークインタフェース９を制御するとともに、データ処理装置１へ指令を供給する回路である。特に、メインコントローラ２は、記憶装置７のモード指定テーブル７ａを参照して、ユーザ操作により指定された作業種別に対応するモード種別を特定し、ユーザ操作が検出されると、データ処理装置１により画像データを取得させ、特定したモード種別でデータ処理装置１にデータ処理を行わせる制御回路である。
【００２６】
メインコントローラ２は、ＣＰＵ（Central Processing Unit）、ＲＯＭ（Read Only Memory）、ＲＡＭなどを有するコンピュータであり、ＲＯＭなどに格納されているプログラムに従って指令を出力したり、データ処理を行う。
【００２７】
メインコントローラ２は、ファクシミリ装置８およびネットワークインタフェース９を制御し、送信データのデータ処理を行う通信処理部２ａを有する。
【００２８】
ＲＡＭ３は、データ処理装置１による処理においてバンドデータを一時的に格納するためのメモリである。ＲＡＭ３としては、例えば、１または複数のＤＲＡＭ（Dynamic RAM）が使用される。
【００２９】
ＲＡＭ３の記憶領域は、それぞれ対となる、バンドメモリ３ａ１，３ａ２、バンドメモリ３ｂ１，３ｂ２、バンドメモリ３ｃ１，３ｃ２、バンドメモリ３ｄ１，３ｄ２、バンドメモリ３ｅ１，３ｅ２、バンドメモリ３ｆ１，３ｆ２として使用される。各バンドメモリは、各バンドデータを格納可能なサイズのバンドデータ領域を有する。
【００３０】
バンドメモリ３ａ１，３ａ２，３ｂ１，３ｂ２は、データ取得回路１５から画像処理回路１６へバンドデータを供給するために使用される。特に、バンドメモリ３ａ１，３ａ２は、画像データのバンドデータのために使用され、バンドメモリ３ｂ１，３ｂ２は、属性データのバンドデータのために使用される。なお、複数のプレーンが存在する場合には、各プレーンに対して２つのバンドメモリが事前に確保される。
【００３１】
バンドメモリ３ｃ１，３ｃ２，３ｄ１，３ｄ２は、画像処理回路１６からＪＰＥＧコーデック１７およびＲＬＥコーデック１８へバンドデータを供給するために使用される。特に、バンドメモリ３ｃ１，３ｃ２は、画像データのバンドデータのために使用され、バンドメモリ３ｄ１，３ｄ２は、属性データのバンドデータのために使用される。なお、複数のプレーンが存在する場合には、各プレーンに対して２つのバンドメモリが事前に確保される。
【００３２】
バンドメモリ３ｅ１，３ｅ２，３ｆ１，３ｆ２は、データ取得回路１５からＪＰＥＧコーデック１７およびＲＬＥコーデック１８へバンドデータを供給するために使用される。特に、バンドメモリ３ｅ１，３ｅ２は、画像データのバンドデータのために使用され、バンドメモリ３ｆ１，３ｆ２は、属性データのバンドデータのために使用される。なお、複数のプレーンが存在する場合には、各プレーンに対して２つのバンドメモリが事前に確保される。
【００３３】
ＨＤＤ４は、１ページ分のバンドデータからなるページデータを格納するためのデータ格納装置である。ＨＤＤ４は、ＲＡＭ３より大容量で低速なデータ格納装置である。この実施の形態では、圧縮されたバンドデータが１ページ分ずつＨＤＤ４に格納される。
【００３４】
スキャナ５は、原稿の片面または両面の画像を光学的に読み取り、その画像読み取りにより得られる画像データおよび属性データを出力する装置である。スキャナ５は、画像読み取りで生成した画像データおよび属性データをバンドデータとして順次出力する。
【００３５】
印刷エンジン制御回路６は、印刷エンジンへ印刷画像データを供給するとともに、印刷エンジンを制御して印刷を実行させる回路である。
【００３６】
記憶装置７は、メインコントローラ２により使用されるデータやプログラムが格納される装置である。記憶装置７としては、ＲＯＭ、フラッシュメモリなどの不揮発性メモリ、ハードディスクドライブなどが使用される。記憶装置７は、予めモード指定テーブル７ａを記憶している。
【００３７】
モード指定テーブル７ａは、ユーザにより指定される作業種別と、その作業種別に対応する一連の画像処理を行う際にページモードを使用するかバンドモードを使用するかを示すモード種別とを関連付けるモード指定情報を含む。ページモードでは、データ処理装置１において、画像処理回路１６の前段で画像データがページ単位でＨＤＤ４に格納される。バンドモードでは、データ処理装置１において、データ取得回路１５から画像処理回路１６へ画像データを転送する際に、画像データがバンド単位でＲＡＭ３に格納される。図３は、図１におけるモード指定テーブルの一例を示す図である。
【００３８】
ファクシミリ装置８は、画像データから生成されたファクシミリデータを送信するとともに、ファクシミリデータを受信しそのファクシミリデータから画像データを生成する装置である。
【００３９】
ネットワークインタフェース９は、ネットワークに接続され、そのネットワークを介して、端末装置とのデータ通信を行う通信装置である。
【００４０】
操作パネル１０は、装置筐体の表面に配置され、各種情報を表示する表示装置と、ユーザ操作を検出しそのユーザ操作に対応する電気信号を出力する入力装置とを有する。表示装置としては、例えば液晶ディスプレイが使用され、入力装置としては、タッチパネル、キースイッチなどが使用される。操作パネル１０の入力装置は、作業種別を入力するための第１ユーザ操作、および作業を開始させるための第２ユーザ操作を検出する。
【００４１】
ここで、図２を参照して、データ処理装置１の構成について説明する。
【００４２】
データ処理装置１は、インタフェース１１、データフローコントローラ１２、メモリインタフェース１３、ＨＤＤコントローラ１４、データ取得回路１５、画像処理回路１６、ＪＰＥＧコーデック１７、ＲＬＥコーデック１８、画像回転回路１９、ラスタ処理回路２０、ハーフトーン処理回路２１、およびデータ出力回路２２を有する。
【００４３】
インタフェース１１は、メインコントローラ２とデータフローコントローラ１２との間のデータおよび指令の送受を行う回路である。
【００４４】
データフローコントローラ１２は、メインコントローラ２からの指令に従って、データ取得回路１５、画像処理回路１６、ＪＰＥＧコーデック１７、およびＲＬＥコーデック１８のＤＭＡＣ（ダイレクトメモリアクセスコントローラ）を制御し、動作させる回路である。データフローコントローラ１２は、複数の処理回路のうちのある処理回路の出力ＤＭＡコントローラによりバンドデータを第１バンドメモリおよび第２バンドメモリの一方へ書き込ませ、それと並行して、その処理回路の後段の処理回路の入力ＤＭＡコントローラによりそのバンドデータの１つ前のバンドデータを第１バンドメモリおよび第２バンドメモリの他方から読み出させる。
【００４５】
メモリインタフェース１３は、ＲＡＭ３と内部信号線との間のデータおよび指令の送受を行う回路である。内部信号線は、メモリインタフェース１３、ＨＤＤコントローラ１４、および回路１５〜２２を接続する信号線である。信号線を介して、アドレスやデータの送受が行われる。
【００４６】
ＨＤＤコントローラ１４は、ＨＤＤ４に対するデータの読み書きを行う回路である。
【００４７】
データ取得回路１５は、スキャナ５から画像データおよび属性データをバンドデータとして順番に取得し、ＲＡＭ３に格納する回路である。データ取得回路１５は、出力ＤＭＡコントローラ（出力ＤＭＡＣ）１５ｗ１，１５ｗ２を有する。データ取得回路１５の出力ＤＭＡコントローラ（出力ＤＭＡＣ）１５ｗ１は、画像データのバンドデータを、バンドメモリ３ａ１，３ａ２に交互に書き込むとともに、属性データのバンドデータを、バンドメモリ３ｂ１，３ｂ２に交互に書き込む。データ取得回路１５の出力ＤＭＡコントローラ（出力ＤＭＡＣ）１５ｗ２は、画像データのバンドデータを、バンドメモリ３ｅ１，３ｅ２に交互に書き込むとともに、属性データのバンドデータを、バンドメモリ３ｆ１，３ｆ２に交互に書き込む。
【００４８】
画像処理回路１６は、画像データおよび属性データのバンドデータをＲＡＭ３から読み出し、それらのバンドデータに対して所定の画像処理（画像拡大、画像縮小、画像回転（１８０度のみ）、色変換など）を実行し、処理後のバンドデータをＲＡＭ３に格納する回路である。画像処理回路１６は、入力ＤＭＡコントローラ（入力ＤＭＡＣ）１６ｒおよび出力ＤＭＡＣ１６ｗを有する。画像処理回路１６の入力ＤＭＡＣ１６ｒは、バンドメモリ３ａ１，３ａ２またはバンドメモリ３ｅ１，３ｅ２から画像データのバンドデータを交互に読み出すとともに、バンドメモリ３ｂ１，３ｂ２またはバンドメモリ３ｆ１，３ｆ２から属性データのバンドデータを交互に読み出す。画像処理回路１６の出力ＤＭＡＣ１６ｗは、画像処理回路１６における処理後の画像データのバンドデータを、バンドメモリ３ｃ１，３ｃ２に交互に書き込むとともに、画像処理回路１６における処理後の属性データのバンドデータを、バンドメモリ３ｄ１，３ｄ２に交互に書き込む。
【００４９】
ＪＰＥＧコーデック１７は、ＲＡＭ３に格納されている画像データのバンドデータを読み出して、そのバンドデータをＪＰＥＧ（Joint Photographic Experts Group）方式で符号化して圧縮しＨＤＤ４へ格納するとともに、ＨＤＤ４に格納されている画像データのページデータからバンドデータを読み出して、そのバンドデータをＪＰＥＧ方式で復号して伸張しＲＡＭ３へ格納する回路である。ＪＰＥＧコーデック１７は、入力ＤＭＡＣ１７ｒおよび出力ＤＭＡＣ１７ｗを有する。符号化の際には、ＪＰＥＧコーデック１７の入力ＤＭＡＣ１７ｒは、バンドメモリ３ｃ１，３ｃ２またはバンドメモリ３ｅ１，３ｅ２からバンドデータを交互に読み出し、ＪＰＥＧコーデック１７の出力ＤＭＡＣ１７ｗは、ＪＰＥＧ方式で圧縮されたバンドデータを、ＨＤＤコントローラ１４を介してＨＤＤ４に書き込む。復号の際には、入力ＤＭＡＣ１７ｒは、ＨＤＤコントローラ１４を介してＨＤＤ４からＪＰＥＧ方式で圧縮されたバンドデータを読み出し、出力ＤＭＡＣ１７ｗは、バンドメモリ３ｅ１，３ｅ２へバンドデータを交互に書き込む。
【００５０】
ＲＬＥコーデック１８は、ＲＡＭ３に格納されている属性データのバンドデータを読み出して、そのバンドデータをＲＬＥ（Run Length Encoding）方式で符号化して圧縮しＨＤＤ４へ格納するとともに、ＨＤＤ４に格納されている属性データのページデータからバンドデータを読み出して、そのバンドデータをＲＬＥ方式で復号して伸張しＲＡＭ３へ格納する回路である。ＲＬＥコーデック１８は、入力ＤＭＡＣ１８ｒおよび出力ＤＭＡＣ１８ｗを有する。符号化の際には、ＲＬＥコーデック１８の入力ＤＭＡＣ１８ｒは、バンドメモリ３ｄ１，３ｄ２またはバンドメモリ３ｆ１，３ｆ２からバンドデータを交互に読み出し、ＲＬＥコーデック１８の出力ＤＭＡＣ１８ｗは、ＲＬＥ方式で圧縮されたバンドデータを、ＨＤＤコントローラ１４を介してＨＤＤ４に書き込む。復号の際には、入力ＤＭＡＣ１８ｒは、ＨＤＤコントローラ１４を介してＨＤＤ４からＲＬＥ方式で圧縮されたバンドデータを読み出し、出力ＤＭＡＣ１８ｗは、バンドメモリ３ｆ１，３ｆ２へバンドデータを交互に書き込む。
【００５１】
画像回転回路１９は、１ページの画像データによる画像を９０度または２７０度を回転させた画像の画像データを生成する回路である。
【００５２】
ラスタ処理回路２０は、画像データ（および属性データ）のバンドデータをＲＡＭ３から読み出し、それらのバンドデータに対してラスタライズを実行し、ラスタデータを生成する回路である。ラスタデータは、バンドごとに、ＲＬＥコーデック１８により圧縮された後、ＨＤＤ４に格納される。その後、ＲＬＥコーデック１８により、バンドごとに、圧縮されたラスタデータが読み出されて伸張され、ラスタデータがＲＡＭ３に格納される。
【００５３】
ハーフトーン処理回路２１は、バンドごとにラスタデータをＲＡＭ３から読み出し、ハーフトーン処理を実行し、ハーフトーン処理後のデータをＲＡＭ３に格納する回路である。
【００５４】
データ出力回路２２は、ＨＤＤ４から読み出されコーデック１７，１８により伸張されたバンドデータを通信処理部２ａへ供給したり、ハーフトーン処理後のデータをＲＡＭ３から読み出し印刷エンジン制御回路６へ供給する回路である。
【００５５】
なお、これらの回路１１〜２２は、それぞれＡＳＩＣ（Application Specific Integrated Circuit）として実現される。
【００５６】
次に、上記装置の動作について説明する。
【００５７】
ユーザは、操作パネル１０の入力装置を操作して、第１ユーザ操作により作業種別を指定し、第２ユーザ操作によりその作業種別の作業をこの装置に実行させる。第１ユーザ操作は、操作パネル１０におけるタッチパネルに対する、例えばメニューから作業種別を選択する操作であり、第２ユーザ操作は、例えば操作パネル１０におけるスタートボタンの押下である。
【００５８】
メインコントローラ２は、記憶装置７のモード指定テーブル７ａを参照して、第１ユーザ操作により指定された作業種別に対応するモード種別を特定し、第２ユーザ操作が検出されると、データ処理装置１により画像データを取得させ、特定したモード種別（バンドモードまたはページモード）でデータ処理装置１にデータ処理を行わせる。
【００５９】
まず、バンドモードでのデータ処理装置１の動作について説明する。
【００６０】
図４は、図１に示す画像処理装置における、バンドモードでのデータフローを示す図である。図５は、図１に示す画像処理装置における、バンドモードでの複数の処理回路の処理を示すタイミングチャートである。
【００６１】
まず、メインコントローラ２は、スキャナ５に画像読み取りを開始させるとともに、特定した作業種別の処理を、そのスキャナ５で生成された画像データおよび属性データに対して実行させるために指令をデータフローコントローラ１２へ供給する。
【００６２】
データフローコントローラ１２は、その指令を受信すると、データ取得回路１５、画像処理回路１６、ＪＰＥＧコーデック１７およびＲＬＥコーデック１８を以下のように動作させる。
【００６３】
データ取得回路１５は、画像データのバンドデータ（以下、画像バンドデータという）、および属性データのバンドデータ（以下、属性バンドデータという）を順番に取得し、出力ＤＭＡＣ１５ｗ１は、画像バンドデータをバンドメモリ３ａ１，３ａ２のいずれかに書き込み、属性バンドデータをバンドメモリ３ｂ１，３ｂ２のいずれかに書き込む。
【００６４】
まず、バンド＃０の画像バンドデータがバンドメモリ３ａ１に書き込まれ、バンド＃０の属性バンドデータがバンドメモリ３ｂ１に書き込まれる。
【００６５】
次に、割り込みなどで、データ取得回路１５によるバンド＃０の画像バンドデータおよび属性バンドデータの書き込みの完了が、データフローコントローラ１２を介して画像処理回路１６に通知されると、画像処理回路１６の入力ＤＭＡＣ１６ｒは、バンド＃０の画像バンドデータおよび属性バンドデータをバンドメモリ３ａ１，３ｂ１から読み出し、出力ＤＭＡＣ１６ｗは、画像処理後のバンド＃０の画像バンドデータおよび属性バンドデータをバンドメモリ３ｃ１，３ｄ１にそれぞれ書き込む。このとき、入力ＤＭＡＣ１６ｒおよび出力ＤＭＡＣ１６ｗは並列動作する。
【００６６】
一方、データ取得回路１５の出力ＤＭＡＣ１５ｗ１は、バンド＃０の画像バンドデータおよび属性バンドデータの書き込みの完了後、バンド＃１の画像バンドデータおよび属性バンドデータをバンドメモリ３ａ２，３ｂ２にそれぞれ書き込む。
【００６７】
このとき、出力ＤＭＡＣ１５ｗ１によるバンドメモリ３ａ２，３ｂ２への書き込みと、入力ＤＭＡＣ１６ｒによるバンドメモリ３ａ１，３ｂ１からの読み出しとは並行して行われる。
【００６８】
画像処理回路１６による処理およびバンドメモリ３ｃ１，３ｄ１へのバンド＃０の画像バンドデータおよび属性バンドデータの書き込みが完了すると、入力ＤＭＡＣ１６ｒに対してバンドメモリ３ａ１，３ｂ１からのバンド＃２のバンドデータの読み出しのための起動予約が行われるとともに、出力ＤＭＡＣ１６ｗに対してバンドメモリ３ｃ２，３ｄ２へのバンド＃１のバンドデータの書き込みのための起動予約が行われる。なお、バンド＃０，＃１のバンドデータの読み出しのための起動予約、およびバンド＃０のバンドデータの書き込みのための起動予約は、データ取得回路１５の起動時に予め行われている。これ以降、同様に起動予約が行われる。
【００６９】
そして、割り込みなどで、画像処理回路１６による処理およびバンドメモリ３ｃ１，３ｄ１への画像バンドデータおよび属性バンドデータの書き込みの完了が、データフローコントローラ１２を介してＪＰＥＧコーデック１７およびＲＬＥコーデック１８に通知されると、ＪＰＥＧコーデック１７の入力ＤＭＡＣ１７ｒは、バンド＃０の画像バンドデータをバンドメモリ３ｃ１から読み出し、出力ＤＭＡＣ１７ｗは、ＪＰＥＧ方式で圧縮された後の画像バンドデータをＨＤＤコントローラ１４を介してＨＤＤ４に書き込み、ＲＬＥコーデック１８の入力ＤＭＡＣ１８ｒは、バンド＃０の属性バンドデータをバンドメモリ３ｄ１から読み出し、出力ＤＭＡＣ１８ｗは、ＲＬＥ方式で圧縮された後の画像バンドデータをＨＤＤコントローラ１４を介してＨＤＤ４に書き込む。このとき、入力ＤＭＡＣ１７ｒおよび出力ＤＭＡＣ１７ｗは並列動作し、入力ＤＭＡＣ１８ｒおよび出力ＤＭＡＣ１８ｗは並列動作する。
【００７０】
ＪＰＥＧコーデック１７によるバンド＃０に対する処理が完了すると、入力ＤＭＡＣ１７ｒに対してバンドメモリ３ｃ１，３ｄ１からのバンド＃２のバンドデータの読み出しのための起動予約が行われるとともに、出力ＤＭＡＣ１７ｗに対してバンド＃１のバンドデータの書き込みのための起動予約が行われる。なお、バンド＃０，＃１のバンドデータの読み出しのための起動予約、およびバンド＃０のバンドデータの書き込みのための起動予約は、データ取得回路１５の起動時に予め行われている。これ以降、同様に起動予約が行われる。なお、ＲＬＥコーデック１８においても同様に起動予約が行われる。
【００７１】
また、割り込みなどで、データ取得回路１５によるバンド＃１の画像バンドデータおよび属性バンドデータの書き込みの完了が、データフローコントローラ１２を介して画像処理回路１６に通知されると、画像処理回路１６の入力ＤＭＡＣ１６ｒは、バンド＃１の画像バンドデータおよび属性バンドデータをバンドメモリ３ａ２，３ｂ２から読み出し、出力ＤＭＡＣ１６ｗは、画像処理後のバンド＃１の画像バンドデータおよび属性バンドデータをバンドメモリ３ｃ２，３ｄ２にそれぞれ書き込む。
【００７２】
このとき、出力ＤＭＡＣ１６ｗによるバンドメモリ３ｃ２，３ｄ２への書き込みと、入力ＤＭＡＣ１７ｒ，１８ｒによるバンドメモリ３ｃ１，３ｄ１からの読み出しとは並行して行われる。
【００７３】
一方、データ取得回路１５の出力ＤＭＡＣ１５ｗ１は、バンド＃１の画像バンドデータおよび属性バンドデータの書き込みの完了後、バンド＃２の画像バンドデータおよび属性バンドデータをバンドメモリ３ａ１，３ｂ１にそれぞれ書き込む。このとき、データ取得回路１５は、バンドメモリ３ａ１，３ｂ１におけるバンド＃０の画像バンドデータおよび属性バンドデータを、バンド＃２の画像バンドデータおよび属性バンドデータで上書きする。画像処理回路１６の１バンドあたりの処理時間は、データ取得回路１５の１バンドあたりの処理時間より短く設定されている。したがって、この時点で、画像処理回路１６はバンド＃０に対する処理を既に完了しており、データ上書きに起因する問題は生じない。
【００７４】
このとき、出力ＤＭＡＣ１５ｗ１によるバンドメモリ３ａ１，３ｂ１への書き込みと、入力ＤＭＡＣ１６ｒによるバンドメモリ３ａ２，３ｂ２からの読み出しとは並行して行われる。
【００７５】
そして、割り込みなどで、画像処理回路１６による処理およびバンドメモリ３ｃ２，３ｄ２への画像バンドデータおよび属性バンドデータの書き込みの完了が、データフローコントローラ１２を介してＪＰＥＧコーデック１７およびＲＬＥコーデック１８に通知されると、ＪＰＥＧコーデック１７の入力ＤＭＡＣ１７ｒは、バンド＃１の画像バンドデータをバンドメモリ３ｃ２から読み出し、出力ＤＭＡＣ１７ｗは、ＪＰＥＧ方式で圧縮された後の画像バンドデータをＨＤＤコントローラ１４を介してＨＤＤ４に書き込み、ＲＬＥコーデック１８の入力ＤＭＡＣ１８ｒは、バンド＃１の属性バンドデータをバンドメモリ３ｄ２から読み出し、出力ＤＭＡＣ１８ｗは、ＲＬＥ方式で圧縮された後の画像バンドデータをＨＤＤコントローラ１４を介してＨＤＤ４に書き込む。
【００７６】
また、割り込みなどで、データ取得回路１５によるバンド＃２の画像バンドデータおよび属性バンドデータの書き込みの完了が、データフローコントローラ１２を介して画像処理回路１６に通知されると、画像処理回路１６の入力ＤＭＡＣ１６ｒは、バンド＃２の画像バンドデータおよび属性バンドデータをバンドメモリ３ａ１，３ｂ１から読み出し、出力ＤＭＡＣ１６ｗは、画像処理後のバンド＃２の画像バンドデータおよび属性バンドデータをバンドメモリ３ｃ１，３ｄ１にそれぞれ書き込む。このとき、画像処理回路１６の出力ＤＭＡＣ１６ｗは、バンドメモリ３ｃ１，３ｄ１におけるバンド＃０の画像バンドデータおよび属性バンドデータを、バンド＃２の画像バンドデータおよび属性バンドデータで上書きする。ＪＰＥＧコーデック１７およびＲＬＥコーデック１８の１バンドあたりの処理時間は、画像処理回路１６の１バンドあたりの処理時間より短く設定されている。したがって、この時点で、ＪＰＥＧコーデック１７およびＲＬＥコーデック１８はバンド＃０に対する処理を既に完了しており、データ上書きに起因する問題は生じない。
【００７７】
このように処理回路１５〜１８では、後段の処理回路ほど、１つのバンドデータに対する処理時間が短く設定されている。例えば、データ取得回路１５は、２５ミリ秒で１つのバンドデータを処理し、画像処理回路１６は、１０ミリ秒で１つのバンドデータを処理し、ＪＰＥＧコーデック１７およびＲＬＥコーデック１８は、５ミリ秒で１つのバンドデータを処理する。
【００７８】
このとき、出力ＤＭＡＣ１６ｗによるバンドメモリ３ｃ１，３ｄ１への書き込みと、入力ＤＭＡＣ１７ｒ，１８ｒによるバンドメモリ３ｃ２，３ｄ２からの読み出しとは並行して行われる。
【００７９】
一方、データ取得回路１５の出力ＤＭＡＣ１５ｗ１は、バンド＃２の画像バンドデータおよび属性バンドデータの書き込みの完了後、バンド＃３の画像バンドデータおよび属性バンドデータをバンドメモリ３ａ２，３ｂ２にそれぞれ書き込む。このとき、データ取得回路１５は、バンドメモリ３ａ２，３ｂ２おけるバンド＃１の画像バンドデータおよび属性バンドデータを、バンド＃３の画像バンドデータおよび属性バンドデータで上書きする。
【００８０】
このとき、出力ＤＭＡＣ１５ｗ１によるバンドメモリ３ａ２，３ｂ２への書き込みと、入力ＤＭＡＣ１６ｒによるバンドメモリ３ａ１，３ｂ１からの読み出しとは並行して行われる。
【００８１】
そして、割り込みなどで、画像処理回路１６による処理およびバンドメモリ３ｃ１，３ｄ１への画像バンドデータおよび属性バンドデータの書き込みの完了が、データフローコントローラ１２を介してＪＰＥＧコーデック１７およびＲＬＥコーデック１８に通知されると、ＪＰＥＧコーデック１７の入力ＤＭＡＣ１７ｒは、バンド＃２の画像バンドデータをバンドメモリ３ｃ１から読み出し、出力ＤＭＡＣ１７ｗは、ＪＰＥＧ方式で圧縮された後の画像バンドデータをＨＤＤコントローラ１４を介してＨＤＤ４に書き込み、ＲＬＥコーデック１８の入力ＤＭＡＣ１８ｒは、バンド＃２の属性バンドデータをバンドメモリ３ｄ１から読み出し、出力ＤＭＡＣ１８ｗは、ＲＬＥ方式で圧縮された後の画像バンドデータをＨＤＤコントローラ１４を介してＨＤＤ４に書き込む。
【００８２】
以降、同様にして、バンド＃３以降のバンドデータが処理される。これにより、１ページ分のバンドデータが、順次、データ取得回路１５、画像処理回路１６およびコーデック１７，１８によりパイプライン処理され、処理後のデータがＨＤＤ４に保存される。
【００８３】
ユーザにより指定された作業種別がコピーである場合には、このようにしてＨＤＤ４に１ページ分のデータが保存された後、ラスタ処理回路２０によるラスタライズ、およびハーフトーン処理回路２１によるハーフトーン処理により、そのデータから印刷画像データが生成され、データ出力回路２２により印刷エンジン制御回路６へ供給され、印刷が実行される。
【００８４】
また、ユーザにより指定された作業種別の作業における出力がネットワーク送信（ＳＥＮＤ）である場合には、このようにしてＨＤＤ４に１ページ分のデータが保存された後、コーデック１７，１８により復号され、データ出力回路２２により通信処理部２ａへ供給され、通信処理部２ａにより、そのデータから所定のファイル形式（例えばＰＤＦ形式）のデータファイルが生成され、所定のプロトコル（ファイル共有、電子メールなど）で所定の端末装置へネットワークインタフェース９により送信される。
【００８５】
また、ユーザにより指定された作業種別がファクシミリ送信である場合には、このようにしてＨＤＤ４に１ページ分のデータが保存された後、コーデック１７，１８により復号され、データ出力回路２２により通信処理部２ａへ供給され、通信処理部２ａにより、そのデータからファクシミリデータが生成され、ユーザにより指定されたファクシミリ番号へファクシミリ装置８により送信される。
【００８６】
次に、ページモードでのデータ処理装置１の動作について説明する。
【００８７】
図６は、図１に示す画像処理装置における、ページモードでのデータフローを示す図である。
【００８８】
まず、メインコントローラ２は、スキャナ５に画像読み取りを開始させるとともに、特定した作業種別の処理をそのスキャナ５で生成された画像データおよび属性データに対して実行させるために指令をデータフローコントローラ１２へ供給する。
【００８９】
データフローコントローラ１２は、その指令を受信すると、データ取得回路１５、画像処理回路１６、ＪＰＥＧコーデック１７およびＲＬＥコーデック１８を以下のように動作させる。
【００９０】
データ取得回路１５は、画像バンドデータ、および属性バンドデータを順番に取得し、出力ＤＭＡＣ１５ｗ２は、画像バンドデータをバンドメモリ３ｅ１，３ｅ２のいずれかに書き込み、属性バンドデータをバンドメモリ３ｆ１，３ｆ２のいずれかに書き込む。
【００９１】
まず、バンド＃０の画像バンドデータがバンドメモリ３ｅ１に書き込まれ、バンド＃０の属性バンドデータがバンドメモリ３ｆ１に書き込まれる。
【００９２】
次に、割り込みなどで、データ取得回路１５によるバンド＃０の画像バンドデータおよび属性バンドデータの書き込みの完了が、データフローコントローラ１２を介してＪＰＥＧコーデック１７およびＲＬＥコーデック１８に通知されると、ＪＰＥＧコーデック１７の入力ＤＭＡＣ１７ｒは、バンド＃０の画像バンドデータをバンドメモリ３ｅ１から読み出し、出力ＤＭＡＣ１７ｗは、ＪＰＥＧ方式で圧縮された後の画像バンドデータをＨＤＤコントローラ１４を介してＨＤＤ４に書き込み、ＲＬＥコーデック１８の入力ＤＭＡＣ１８ｒは、バンド＃０の属性バンドデータをバンドメモリ３ｆ１から読み出し、出力ＤＭＡＣ１８ｗは、ＲＬＥ方式で圧縮された後の画像バンドデータをＨＤＤコントローラ１４を介してＨＤＤ４に書き込む。このとき、入力ＤＭＡＣ１７ｒおよび出力ＤＭＡＣ１７ｗは並列動作し、入力ＤＭＡＣ１８ｒおよび出力ＤＭＡＣ１８ｗは並列動作する。
【００９３】
一方、データ取得回路１５の出力ＤＭＡＣ１５ｗ１は、バンド＃０の画像バンドデータおよび属性バンドデータの書き込みの完了後、バンド＃１の画像バンドデータおよび属性バンドデータをバンドメモリ３ｅ２，３ｆ２にそれぞれ書き込む。
【００９４】
このとき、出力ＤＭＡＣ１５ｗ１によるバンドメモリ３ｅ２，３ｆ２への書き込みと、入力ＤＭＡＣ１７ｒ，１８ｒによるバンドメモリ３ｅ１，３ｆ１からの読み出しとは並行して行われる。
【００９５】
次に、割り込みなどで、データ取得回路１５によるバンド＃１の画像バンドデータおよび属性バンドデータの書き込みの完了が、データフローコントローラ１２を介してＪＰＥＧコーデック１７およびＲＬＥコーデック１８に通知されると、ＪＰＥＧコーデック１７の入力ＤＭＡＣ１７ｒは、バンド＃１の画像バンドデータをバンドメモリ３ｅ２から読み出し、出力ＤＭＡＣ１７ｗは、ＪＰＥＧ方式で圧縮された後の画像バンドデータをＨＤＤコントローラ１４を介してＨＤＤ４に書き込み、ＲＬＥコーデック１８の入力ＤＭＡＣ１８ｒは、バンド＃１の属性バンドデータをバンドメモリ３ｆ２から読み出し、出力ＤＭＡＣ１８ｗは、ＲＬＥ方式で圧縮された後の画像バンドデータをＨＤＤコントローラ１４を介してＨＤＤ４に書き込む。
【００９６】
一方、データ取得回路１５の出力ＤＭＡＣ１５ｗ１は、バンド＃１の画像バンドデータおよび属性バンドデータの書き込みの完了後、バンド＃２の画像バンドデータおよび属性バンドデータをバンドメモリ３ｅ１，３ｆ１にそれぞれ書き込む。このとき、データ取得回路１５は、バンドメモリ３ｅ１，３ｆ１におけるバンド＃０の画像バンドデータおよび属性バンドデータを、バンド＃２の画像バンドデータおよび属性バンドデータで上書きする。ＪＰＥＧコーデック１７およびＲＬＥコーデック１８の１バンドあたりの処理時間は、データ取得回路１５の１バンドあたりの処理時間より短く設定されている。したがって、この時点で、コーデック１７，１８はバンド＃０に対する処理を既に完了しており、データ上書きに起因する問題は生じない。
【００９７】
同様にして、バンド＃２以降のバンドデータが処理される。これにより、１ページ分のバンドデータが、順次、データ取得回路１５、およびコーデック１７，１８によりパイプライン処理され、処理後のデータがＨＤＤ４に保存される。
【００９８】
そして、１ページ分のバンドデータがＨＤＤ４に保存された後、各バンドデータが画像処理回路１６へ順次供給される。例えば、画像処理回路１６が複雑なデータ処理を行う場合、画像処理回路１６による１バンドに対する処理時間が、データ取得回路１５による１バンドに対する処理時間より短くなることを保証できない。このため、そのような作業種別について、ページモードが設定される。そして、ページモードでは、画像処理回路１６の処理速度に合わせて、バンドデータがＨＤＤ４からＨＤＤコントローラ１４およびコーデック１７，１８を介して画像処理回路１６へ供給される。
【００９９】
したがって、データフローコントローラ１２による制御に従って、ＪＰＥＧコーデック１７の入力ＤＭＡＣ１７ｒは、バンド＃０の圧縮された画像バンドデータを、ＨＤＤ４からＨＤＤコントローラ１４を介して読み出し、出力ＤＭＡＣ１７ｗは、データ伸張後、バンド＃０の画像バンドデータをバンドメモリ３ｅ１に書き込み、ＲＬＥコーデック１８の入力ＤＭＡＣ１８ｒは、バンド＃０の圧縮された属性バンドデータを、ＨＤＤ４からＨＤＤコントローラ１４を介して読み出し、出力ＤＭＡＣ１８ｗは、データ伸張後、バンド＃０の属性バンドデータをバンドメモリ３ｆ１に書き込む。
【０１００】
次に、割り込みなどで、コーデック１７，１８によるバンド＃０の画像バンドデータおよび属性バンドデータの書き込みの完了が、データフローコントローラ１２を介して画像処理回路１６に通知されると、画像処理回路１６の入力ＤＭＡＣ１６ｒは、バンド＃０の画像バンドデータおよび属性バンドデータをバンドメモリ３ｅ１，３ｆ１から読み出し、出力ＤＭＡＣ１６ｗは、画像処理後のバンド＃０の画像バンドデータおよび属性バンドデータをバンドメモリ３ｃ１，３ｄ１にそれぞれ書き込む。このとき、入力ＤＭＡＣ１６ｒおよび出力ＤＭＡＣ１６ｗは並列動作する。画像処理回路１６より下流の処理はバンドモードと同様であるので、その説明を省略する。
【０１０１】
一方、コーデック１７，１８によるバンド＃０の画像バンドデータおよび属性バンドデータの書き込みの完了後、データフローコントローラ１２により設定された時間間隔でバンドデータが順番にバンドメモリ３ｅ１，３ｅ２，３ｆ１，３ｆ２へ出力されるように、入力ＤＭＡＣ１７ｒ，１８ｒは、バンド＃１の圧縮された画像バンドデータおよび属性バンドデータを読み出し、出力ＤＭＡＣ１７ｗ，１８ｗは、データ伸張後、バンド＃１の画像バンドデータおよび属性バンドデータをバンドメモリ３ｅ２，３ｆ２にそれぞれ書き込む。
【０１０２】
そして、割り込みなどで、コーデック１７，１８によるバンド＃１の画像バンドデータおよび属性バンドデータの書き込みの完了が、データフローコントローラ１２を介して画像処理回路１６に通知されると、画像処理回路１６の入力ＤＭＡＣ１６ｒは、バンド＃１の画像バンドデータおよび属性バンドデータをバンドメモリ３ｅ２，３ｆ２から読み出し、出力ＤＭＡＣ１６ｗは、画像処理後のバンド＃１の画像バンドデータおよび属性バンドデータをバンドメモリ３ｃ２，３ｄ２にそれぞれ書き込む。
【０１０３】
一方、コーデック１７，１８によるバンド＃１の画像バンドデータおよび属性バンドデータの書き込みの完了後、データフローコントローラ１２により設定された時間間隔でバンドデータが順番にバンドメモリ３ｅ１，３ｅ２，３ｆ１，３ｆ２へ出力されるように、入力ＤＭＡＣ１７ｒ，１８ｒは、バンド＃２の圧縮された画像バンドデータおよび属性バンドデータを読み出し、出力ＤＭＡＣ１７ｗ，１８ｗは、データ伸張後、バンド＃２の画像バンドデータおよび属性バンドデータをバンドメモリ３ｅ１，３ｆ１にそれぞれ書き込む。このとき、出力ＤＭＡＣ１７ｗ，１８ｗは、バンドメモリ３ｅ１，３ｆ１におけるバンド＃０の画像バンドデータおよび属性バンドデータを、バンド＃２の画像バンドデータおよび属性バンドデータで上書きする。
【０１０４】
同様にして、バンド＃２以降のバンドデータが処理される。これにより、１ページ分のバンドデータが、順次、コーデック１７，１８、画像処理回路１６、コーデック１７，１８の順番でパイプライン処理され、処理後のデータがＨＤＤ４に保存される。なお、コーデック１７，１８による１バンドの処理時間は、画像処理回路１６による１バンドの処理時間の半分以下の時間とされる。
【０１０５】
その後、画像処理後の１ページ分のデータがＨＤＤ４に保存された後、バンドモードの場合と同様にして、出力のための処理が行われた後、印刷、ネットワーク送信、およびファクシミリ送信のいずれかが行われる。
【０１０６】
次に、両面スキャンを伴う作業種別が指定された場合のデータ処理装置１の動作について説明する。例えばモード指定テーブル７ａが図３に示すものである場合、作業種別「両面コピー」，「両面ネットワーク送信」，「両面ファクシミリ装置」の処理では、スキャナ５による両面スキャンが行われる。
【０１０７】
このような作業種別の処理の場合、画像処理回路１６が画像データおよび属性データの複数のセットを同時に処理できないため、データフローコントローラ１２は、原稿の表面画像を読み取って得られる表面データと原稿の裏面画像を読み取って得られる裏面データの一方をバンドモードで処理させ、他方をページモードで処理させる。ここでは、表面データがバンドモードで処理され、裏面データがページモードで処理される。
【０１０８】
図７は、図１に示す画像処理装置における、両面スキャンを伴う作業種別の処理におけるデータフローを示す図である。
【０１０９】
データ取得回路１５は、原稿の表面画像を読み取って得られる表面データと原稿の裏面画像を読み取って得られる裏面データとをスキャナ５から取得する。表面データは、画像データと属性データとからなり、裏面データは、画像データと属性データとからなる。
【０１１０】
表面データは、バンドモードで処理されるため、データ取得回路１５の出力ＤＭＡＣ１５ｗ１からバンドメモリ３ａ１，３ａ２，３ｂ１，３ｂ２を介して画像処理回路１６の入力ＤＭＡＣ１６ｒへ転送される。そして、表面データは、画像処理回路１６で処理され、コーデック１７，１８により圧縮された後、ＨＤＤ４に保存される。
【０１１１】
裏面データは、ページモードで処理されるため、データ取得回路１５の出力ＤＭＡＣ１５ｗ２からバンドメモリ３ｅ１，３ｅ２，３ｆ１，３ｆ２を介してコーデック１７，１８の入力ＤＭＡＣ１７ｒ，１８ｒへ転送される。そして、裏面データは、コーデック１７，１８により圧縮された後、ＨＤＤ４に一旦、保存される。
【０１１２】
そして、バンドモードでの表面データの処理が完了した後、裏面データは、ＨＤＤ４から読み出され、コーデック１７，１８により伸張された後、コーデック１７，１８の出力ＤＭＡＣ１７ｗ，１８ｗからバンドメモリ３ｅ１，３ｅ２，３ｆ１，３ｆ２を介して画像処理回路１６の入力ＤＭＡＣ１６ｒへ転送される。そして、裏面データは、画像処理回路１６で処理され、コーデック１７，１８により圧縮された後、ＨＤＤ４に保存される。
【０１１３】
画像処理後の表面１ページ分のデータがＨＤＤ４に保存された後、出力のための処理が行われ、印刷、ネットワーク送信、およびファクシミリ送信のいずれかが行われ、また、画像処理後の裏面１ページ分のデータがＨＤＤ４に保存された後、出力のための処理が行われ、印刷、ネットワーク送信、およびファクシミリ送信のいずれかが行われる。
【０１１４】
以上のように、上記実施の形態によれば、メインコントローラ２は、表面の画像データおよび裏面の画像データの一方をバンドモードでデータ処理装置１の画像処理回路１６にデータ処理を行わせ、表面の画像データおよび裏面の画像データの他方をページモードでデータ処理装置１の画像処理回路１６にデータ処理を行わせる。
【０１１５】
これにより、データ取得回路１５で当該画像処理装置へ画像データが取得されてから、データサイズに拘わらず、ページモードまたはバンドモードでただちにその画像データに対する画像処理を開始することができる。すなわち、バンドモードでは、１バンド分の画像データが取得されてから、ただちに画像処理の開始が可能になり、ページモードでは、１ページ分の画像データが取得されてから、ただちに画像処理の開始が可能になる。特に、両面スキャンで得られた２ページ分の画像データをただちに順番に処理することができる。
【０１１６】
なお、上述の実施の形態は、本発明の好適な例であるが、本発明は、これらに限定されるものではなく、本発明の要旨を逸脱しない範囲において、種々の変形、変更が可能である。
【０１１７】
例えば、上記実施の形態において、画像データがＣＭＹＫの４つのプレーンを有し、属性データが、ＡプレーンおよびＳプレーンを有する場合、ＣＭＹの３プレーンを画像データとして取り扱い、Ｋプレーン、ＡプレーンおよびＳプレーンを属性データとして取り扱うようにしてもよい。
【０１１８】
また、上記実施の形態において、ＲＡＭ３として、対となる２つのバンドメモリ（３ａ１，３ａ２），（３ｂ１，３ｂ２），（３ｃ１，３ｃ２），（３ｄ１，３ｄ２），（３ｅ１，３ｅ２），（３ｆ１，３ｆ２）の一方と他方とで独立したＲＡＭモジュールを設け、各ＲＡＭモジュールに対して並列にアクセス可能な構成としてもよい。あるいは、ＲＡＭ３として、バンドメモリと同数の独立したＲＡＭモジュールを設け、各ＲＡＭモジュールに対して並列にアクセス可能な構成としてもよい。
【０１１９】
また、上記実施の形態において、画像の９０度または２７０度回転を伴う作業種別の場合、画像処理回路１６により１ページ分の画像データおよび属性データが処理されＨＤＤ４に格納された後に、コーデック１７，１８は、画像回転回路１９の画像回転処理で必要な圧縮されたバンドデータを、ＨＤＤコントローラ１４を介してＨＤＤ４から読み出し、その圧縮されたバンドデータを伸張し、バンドデータをＲＡＭ３に格納し、画像回転回路１９は、コーデック１７，１８により伸張され得られたバンドデータを使用して画像回転処理を行う。そして、画像回転回路１９は、コーデック１７，１８により伸張され得られたバンドデータを使用して画像回転処理を行う。
【産業上の利用可能性】
【０１２０】
本発明は、例えば、コピー機、複合機などの画像形成装置に適用可能である。
【符号の説明】
【０１２１】
２  メインコントローラ（制御回路の一例）
３  ＲＡＭ（メモリの一例）
４  ＨＤＤ（データ格納装置の一例）
５  スキャナ
７  記憶装置
１０  操作パネル（入力装置の一例）
１２  データフローコントローラ
１５  データ取得回路
１５ｗ１，１５ｗ２  出力ＤＭＡＣ
１６  画像処理回路（処理回路の一例）
１６ｒ  入力ＤＭＡＣ
１７  ＪＰＥＧコーデック（データ圧縮回路の一例，データ伸張回路の一例）
１９  画像回転回路
【図１】
2010226518.tif 000003
【図２】
2010226518.tif 000004
【図３】
2010226518.tif 000005
【図４】
2010226518.tif 000006
【図５】
2010226518.tif 000007
【図６】
2010226518.tif 000008
【図７】
2010226518.tif 000009